(57)【要約】  【課題】  本体の側面に電話用とカメラ用の操作キーのそれぞれの一群が設けられたカメラ付き携帯電話において、電話用とカメラ用の操作キーの間の誤操作を防ぐこと。  【解決手段】  電話用操作キー１の一群とカメラ用操作キー２の一群のいずれか一方を覆った状態から二つの群の並びに沿ってスライドして他方を覆うことが可能となったカバー７を設け、そのカバー７がスライドして前記カメラ用操作キー２の一群を覆ったことを検知する光センサ８を設けて、その光センサ８が、前記カバー７が上記電話用操作キー１を覆ったことを検知した時に、カメラの撮像機能が動作可能な状態になるような制御回路を設ける。【選択図】      図４
2006245857.tif 000002
【特許請求の範囲】
【請求項１】
本体側面の長手方向に沿って電話用操作キーの一群とカメラ用操作キーの一群が並列されたカメラ付き携帯電話において、
前記電話用操作キーの一群とカメラ用操作キーの一群のいずれか一方を覆った状態から二つの群の並びに沿ってスライドして他方を覆うことが可能となったカバーが備えられていることを特徴とするカメラ付き携帯電話。
【請求項２】
請求項１に記載のカメラ付き携帯電話において、上記電話用操作キーとカメラ用操作キーの一群中の各操作キーを上記カバーのスライド方向に平行かつ同一直線上、かつ、等ピッチで配列し、上記カバーに、電話用操作キーとカメラ用操作キーの一群の内、操作キーの個数の多いものの方と同数のキーの押圧手段を前記操作キーの配列に対応する線上に、前記配列ピッチと同じピッチで設けたことを特徴とするカメラ付き携帯電話。
【請求項３】
請求項１に記載のカメラ付き携帯電話において、上記カバーを透明な可撓性の材料で形成し、そのカバーの上から上記各操作キーが押圧可能としたことを特徴とするカメラ付き携帯電話。
【請求項４】
請求項１から３のいずれかに記載のカメラ付き携帯電話において、上記カバーがスライドして上記カメラ用操作キーの一群を覆ったことを検知する検知手段を設けて、その検知手段が、前記カバーが上記電話用操作キーを覆ったことを検知した時に、カメラの撮像機能が動作可能な状態になるような制御回路を設けたことを特徴とするカメラ付き携帯電話。
【発明の詳細な説明】
【技術分野】
【０００１】
この発明はカメラ付き携帯電話に関する。
【背景技術】
【０００２】
一般に普及しているカメラ付き携帯電話の中には、本体の側面に電話用とカメラ用の操作キーが設けられたものがある。（例、株式会社ボーダフォン製）
【発明の開示】
【発明が解決しようとする課題】
【０００３】
上記のようなカメラ付き携帯電話で、携帯電話という基本的に小型の機器のさらに狭い本体側面に電話用とカメラ用の両操作キーが設けられているものの場合、本来、電話の操作を行うつもりであった使用者が、誤ってカメラ用の操作キーを操作してしまう、といったことが頻繁に起こっている。
【０００４】
そこで、本発明は、本体の側面に電話用とカメラ用の操作キー、それぞれの一群が設けられたカメラ付き携帯電話において、上記のようなキーの誤操作が起こらないようにすることを課題とする。
【課題を解決するための手段】
【０００５】
上記課題を解決するため、本発明は、本体側面の長手方向に沿って電話用操作キーの一群とカメラ用操作キーの一群が並列されたカメラ付き携帯電話において、前記カメラ用操作キーの一群と電話用操作キーの一群のいずれか一方を覆った状態から二つの群の並びに沿ってスライドして他方を覆うことが可能となったカバーを備えた構成としたのである。
【０００６】
このようにしたので、電話用、カメラ用、それぞれの操作キーを操作している間、他方の操作キーはカバーで覆われているので、電話用とカメラ用の間で、キーの誤操作をするおそれがない。
【０００７】
その際、上記電話用操作キーとカメラ用操作キーの一群中の各操作キーの配列を上記カバーのスライド方向に平行かつ同一直線上、かつ、配列ピッチを等しくした場合に、上記カバーに、電話用操作キーとカメラ用操作キーの一群の内、操作キーの個数の多いものの方と同数のキーの押圧手段を前記操作キーの配列に対応する線上に前記配列ピッチと同じピッチで設けた構成にして、カバーの上から上記各操作キーを押圧できる構成にすれば、キーの誤操作のおそれを完全に排除するものではないが、カバーがない時に比べれば、キーの誤操作のおそれが一段と小さくなり、電話用、カメラ用のいずれか一方にカバーがかけられていても、両方についてキーを操作できるので、誤操作のおそれを小さくしつつ、操作の利便性を図ることができる。
【０００８】
また、上記と同じ趣旨の下、上記カバーを透明な可撓性の材料で形成し、そのカバーの上から上記各操作キーを押圧できる構成にすれば、カバーに押圧手段を設ける必要がなく、単にカバーを設けるだけでよいので、設計の簡素化、生産効率の向上、およびコストダウンを図ることができる。
【０００９】
さらに、この形態の場合、カメラ用、電話用とも、各操作キーの並びが前記のように整然としたもの（全てのキーがカバーのスライド方向に平行な一直線上に等しいピッチで並んだ状態）である必要はなく、キーの配列についてデザイン上の自由度を有することができる。
【００１０】
上記各構成において、上記カバーがスライドして上記電話用操作キーの一群を覆ったこと、すなわち、カメラ操作用のキーの上にはカバーが存在していないこと、を検知する検知手段を設けて、その検知手段が、前記カバーがカメラ用操作キーの上に無いことを検知した時に、上記カメラの撮像機能が動作可能な状態になるような制御手段を設ければ、カメラ用の操作キーをカバーで覆った状態にしておけば、そのカバーの上から先述の押圧手段などでカメラ用の操作キーを押圧しても撮像機能が働くことがないので、カメラ用操作キーの上にカバーがかかっている場合にはキーの誤操作を完全に防ぐことができる。
【発明の効果】
【００１１】
この発明のカメラ付き携帯電話は、上記のように構成したので、基本的にはカメラ操作キーの誤操作を防ぐことができる。
【００１２】
また、完全に誤操作を防ぐものではないが、カバーをした側の操作キーが操作できる構成も採れるので、その場合には、誤操作のおそれを小さくしつつ、カメラ用、電話用操作キーの両方が操作できて、その利便性を図ることができる。
【発明を実施するための最良の形態】
【００１３】
以下、この発明の実施の形態について、図面を参照して説明する。
（第１の実施形態）
図１は、本発明に係る第１の実施形態のカメラ付き携帯電話の三面図であり、（ａ）が正面図、（ｂ）が左側面図、（ｃ）が平面図である。図に示すように、このカメラ付き携帯電話の本体側面には、その長手方向に沿って電話用操作キー１の一群とカメラ用操作キー２の一群が一直線上に並列されている。それぞれの操作キー１、２の個数は三つと四つであり、図では、カメラ用操作キー２の一群の側がカバー３で覆われた状態となっている。
【００１４】
カバー３は、（ｃ）の平面図に示すように、概ね断面コ字状を成し、（ａ）の正面図、（ｂ）の左側面図が示すように、四つのカメラ用操作キー２の全てを覆うことのできる長さの、四角筒状を成している。
【００１５】
そのコ字の内側で操作キー２を覆うような形態になっており、コ字の上下の辺の下縁が電話機本体の、操作キー２が配列されている側面の両側縁に被さるようになっている。さらに、そのコ字の辺の下縁は筒の内側に曲がっていて、その部分が以下に述べる本体のスライドレール４に係合する係合部３ａになっている。
【００１６】
その電話機本体側面の両側縁には、今述べたように、前記カバー３のコ字の上下辺の両下縁の係合部３ａが係合するスライドレール４が設けてあり、前記カバー３はこのスライドレール４にガイドされて、図のカメラ操作用キー２の一群を覆った状態から、本体側面の長手方向に沿ってスライドして電話用操作キー１の一群を覆い、両者の間を往復自在となっている。図に二点鎖線で示したのが、カバー３が電話用操作キー1側へ移動した状態のものである。
【００１７】
また、このカバー３は、硬質の樹脂で形成しており、それが覆っている操作キー１、２に対しては、そのカバー３の上から操作キー１、２を押圧しようとしても、押圧できないような強度のものとなっている。
【００１８】
本実施形態のカメラ付き携帯電話にあっては、このようなカバー３を設けているので、カメラの操作をしない時は、カバー３をカメラ用操作キー２の側にスライドさせてそれを覆うようにすれば、誤操作を起こすことがない。
【００１９】
（第２の実施形態）
図２は、第２の実施形態のカメラ付き携帯電話を示したものである。図に示すように、この実施形態の電話機では、電話操作キー１とカメラ操作キー２の個数が等しく、四つである。また、電話用、カメラ用、それぞれの群における各キー１、２の配列ピッチが電話用とカメラ用で等しくなっている。
【００２０】
そして、カバー５は前記第１の実施形態のように単なる断面コ字状の樹脂の筒体のものではなく、そのコ字の中央辺の面、すなわち、そのカバー５が操作キー１、２を覆った時に操作キー１、２の上面に対向する面に押圧ボタン６が設けられたものである。
【００２１】
この押圧ボタン６のカバー５における配列形態は、前記電話用あるいはカメラ用操作キー１、２のそれぞれの群における操作キー１、２の配列ピッチと等しくなっている。すなわち、図３に示すように、前出の図２でカメラ用操作キー２を覆っていたカバー５を電話用操作キー１側に移動してその操作キー１を覆うようにしても、四つの押圧ボタン６と四つの電話用操作キー１のそれぞれが一対一に対応するようになっている。カバー５に押圧ボタン６を設けたことと、電話用操作キー１の個数以外の本体の構成は第１の実施形態の場合と同様である。
【００２２】
本実施形態の趣旨は、電話用操作キー１の使用時、すなわち、前記カバー５がカメラ用操作キー２側に移動して、それを覆っている状態でも、シャッターチャンスにふさわしい被写体が出現した場合に、カバー５を移動させずとも、即座に、そのカバー５の上からカメラ用操作キー２を操作できるようにして、その利便性を図ったものである。
【００２３】
すなわち、そうすることによって、前記第１の実施形態のように、一方の側の操作キーの誤操作を完全に防ぐことにはならないが、全くカバー５が無い場合に比べれば、カバー５がかかっていることにより、心理的にも、あるいは機械的にも、誤操作の確率は一段と低くなるので、そのようにして誤操作のおそれを少なくしつつ、今述べたように、電話中に、決定的な被写体の出現があった場合等、操作キー１、２の操作がすばやくできるような利便性を図ったものである。
【００２４】
ただし、本実施形態の場合、冒頭でも述べたように、電話用、カメラ用、両操作キー１、２の一群が、カバー５のスライド方向に平行な一直線上で等しいピッチで配列されていることが前提となる。
【００２５】
そのようにしないと、電話用、カメラ用の一方の群だけで同じピッチで配列されていたとしても、他方の側でそれと同じピッチになっていないと、押圧ボタン６と操作キー１、２とが一対一に対応していた側で操作キー１、２の操作ができても、他方の側ではそれができないからである。すなわち、この実施形態の場合、操作キー１、２の配列についてそのような一定の制約を受けることになる。
【００２６】
また、本実施形態ではカメラ用、電話用とも、四つの操作キー１、２が並列されたものを例示したが、第１の実施形態のように、両方の操作キー１、２の個数に違いがある場合、上記押しボタン６は個数の多いほうの操作キー１、２の数に合わせるようにする。当然のことながら、操作キー１、２の少ない方に合わせていると、多い方の操作キー１、２の一部を操作できないからである。
【００２７】
（第３の実施形態）
第３の実施形態は、第２の実施形態と同じ趣旨である。すなわち、カバーがかかった状態でも操作ができるようにしているのである。この第３の実施形態のカメラ付き携帯電話の図としては、見かけ上、実施形態１のものと同じになる。それは、次に、述べるように、第１の実施形態のものと異なるのは、そのカバーの材質だけだからである。従って、本実施形態に係る図としては図１を参照されたい。図１において、カバー３の符号だけを本実施形態の符号７に変えるべく、符号３に添えた括弧内に符号７を示している。
【００２８】
さて、今も述べたように、本実施形態が第２の実施形態と異なるのは、カバー７を透明な可撓性の材料、例えば、塩化ビニルのような透明の薄手の樹脂で形成していることである。そうすることによって、そのカバー７で操作キーを覆った状態でも、カバー７の上から操作キー１、２を押圧することができるようにしている点である。
【００２９】
そのようにしたので、第２の実施形態のように、カバー５の上に押圧ボタン６等の押圧手段を設ける必要はなく、カバー７だけを設けるだけの構成でよいので、設計の簡素化、部品代の節約、生産効率の向上を図ることができる。
【００３０】
また、操作キー１、２の配列についても、第１、第２の実施形態の場合のように、各操作キー１、２の配列がカバー３のスライド方向に平行な一直線上にあり、かつ、配列ピッチが等しい、といった整然としたものである必要はなく、その配置は自由にできるので、操作キー１、２の配列についてデザイン上の自由度を有することができる。
【００３１】
なお、本実施形態では前記カバー７を透明な塩化ビニルを用いて形成したが、必ずしも透明である必要はなく、カバー７に、その直下にある操作キー１、２の位置を示すような印を付しておけば、不透明な材料、例えば、ウレタン樹脂等を用いてもよい。要するに、押圧を繰り返しても元の状態に復帰できる可撓性を有した材料で、それなりの耐久強度を有するものであれば良いのである。
【００３２】
（第４の実施形態）
図４は第４の実施形態を示すカメラ付き携帯電話であり、この実施形態では、前記各実施形態において、上記カバー３、５、７（以下、第２実施形態のカバー５に関するもの以外は、第１の実施形態のカバー３で代表する）がスライドして上記電話用操作キー１の一群を覆ったことを検知する光センサ８を設けている。図４は図１のものに光センサ８を設けたものを描いている。
【００３３】
そして、その光センサ８が、前記カバー３が上記電話用操作キー１を覆ったことを検知した時に、光センサ８からの信号が上記カメラの撮像機能が動作可能な状態になるようにしている。
【００３４】
このようにしたので、カメラ用操作キー２の上にカバー３がかかっている限りは、前記第３の実施形態のようなカバー３の上から操作キー１、２が押圧可能な構成を採っても、撮像機能が働くことがなく、カメラ用操作キー２の誤操作という事態を完全に排除することができる。この実施形態の趣旨は、第３の実施形態のものに対してだけでなく、第１、第２実施形態のものを基にして、それに光センサ８を設けることによって適応可能である。
【００３５】
なお、上記光センサ８の取り付けについては、例えば、第２の実施形態のようにカバー５の上に押圧ボタン６を設けていて、その押圧ボタン６のカバー５上での配列が各操作キー１、２に一対一に対応しているような場合には、カバー５の停止位置を厳密に決定して光センサ８を取り付ける必要があるが、第３の実施形態のように、カバー３を透明な樹脂で形成して、押圧ボタン６を設けないものの場合には、カバー３がカメラ用操作キー２の配列領域を過ぎた位置であれば、第２の実施形態ほどにカバー３の厳密な停止位置を決める必要はない。従って、光センサ８の取り付けについては、設計、製作上、ゆるやかな対応をとることができる。
【００３６】
また、この第４の実施形態ではカバー３がカメラ用操作キー２の領域を脱して電話用操作キー１を覆うようになったことを光センサ８を用いて検知するようにしたが、検地手段としてはこの光センサ８に限らず、カバー３のスライド経路上に、電話機本体に対して可逆的に出没可能となったベベルプランジャ型のリミットスイッチを設けて、それを、カバー３のスライド時に、カバー３で押圧させて、本体内部に設けられた撮像機能に関する制御回路の駆動スイッチに機械的に作用してそれを駆動させるような構成を採ることもできる。
【産業上の利用可能性】
【００３７】
この発明は、カメラ付き携帯電話で、本体側面にカメラ用と電話用の操作キーが並列された形態のもの一般に広く適用可能である。
【図面の簡単な説明】
【００３８】
【図１】は、第１の実施形態のカメラ付き携帯電話を（ａ）に正面図、（ｂ）に左側面図、（ｃ）に平面図の三面図で示したものである。
【図２】は、第２の実施形態のカメラ付き携帯電話を（ａ）に正面図、（ｂ）に左側面図、（ｃ）に平面図の三面図で示したものである。
【図３】は、第２の実施形態のカメラ付き携帯電話のカバーが移動した状態を（ａ）に正面図、（ｂ）に左側面図で示したものである。
【図４】は、第４の実施形態のカメラ付き携帯電話を（ａ）に正面図、（ｂ）に左側面図、（ｃ）に平面図の三面図で示したものである。
【符号の説明】
【００３９】
１    電話用操作キー
２    カメラ用操作キー
３、５、７    カバー
４    スライドレール
６    押圧ボタン
８    光センサ
【図１】
2006245857.tif 000003
【図２】
2006245857.tif 000004
【図３】
2006245857.tif 000005
【図４】
2006245857.tif 000006